(57)【要約】【課題】    バーコードデータを音声信号に変換する技術で、超音波で送信・受信を行いバーコードデータとの互換性を保ち認識技術を高めた方法である。【解決手段】    バーコードを読み込んだ光学信号を音声信号に変換する技術は、音声信号の波に変化を与え数字や英字が認識し判断できる音声信号に置き換える仕組みである。  図２の（６）及び（６′）も音声信号の波の変化は、波の高さを変化する時は数字０〜９に割り当てる。  また、図２の（７）及び（７′）と（８）及び（８′）の波の長さを変化する時は英字A〜Zに割り当てて、バーコードデータと同じ音声信号の超音波を図３の（１１）の様に順番に送り出す方式で認識を行なう事を特徴とする。【選択図】図５
2010061206.tif 000002
【特許請求の範囲】
【請求項１】
認識文字や数字をバーコードデータのように超音波信号を変換する手段と、超音波信号発生手段を有する超音波信号発信装置と、超音波検出手段を備える超音波受信装置で、超音波信号をバーコード変化して無線で送受信をし、認識する技術を特長とした装置
【請求項２】
認識文字や数字をバーコードデータのように変換する手段は、認識の確立を高めるために超音波信号を図３に示すように音声ノイズがない状態で超音波認識を行い誤認識をなくする方法を特徴とする請求項１記載の装置  
【請求項３】
超音波信号の波の高さや波の長さを変化させ図２に示すように超音波形状の（６）及び（６’)や（７）・（７’）及び（８）・（８’）を変化させて様々な組み合わせに変換するのでバーコードと同じ表現が可能になる、ことを特徴とする請求項１又は２記載の装置
【請求項４】
受信装置の「認識タグ」のICチップやメモリにバーコードや特定の音を超音波信号データにして書き込みをして置く方法とした、ことを特徴とする請求項１記載の装置
【請求項５】
送信装置は、ターゲットのバーコードを読み込むとバーコードデータを超音波信号に変換してスピーカから送信し、受信装置はターゲットのバーコードと同じ「認識タグ」を呼び出すことができる技術になる、ことを特徴とする請求項１又は４記載の装置
【請求項６】
「認識タグ」及び受信装置は、ターゲットの超音波を検出したら図１で示す(３)制御回路から制御信号を送り出すことができる。
この制御信号を利用して「ブザーを鳴らす」、「LEDを点灯する」、「電子ロックを解除する」等のトリガーにする、ことを特徴とする請求項１又は４と５記載の装置
【発明の詳細な説明】
【技術分野】
【０００１】
本発明は、バーコードスキャナで読み込んだバーコードデータを超音波信号に変換技術にかかり、超音波にてデータの送受信を行ない、認識するシステムに関するものである。          
【背景技術】
【０００２】
バーコードを読んだ事により、何処にその製品が在るのかを知らせる技術は、製造工場や流通業・物流業のピッキングシステムになり、無線LANネットワークを利用したシステムになり、大変大掛かりで高価な物になるが、もっと簡単で低価格を実現できないかを検討されている。
【０００３】
近年は、無線ICタグを利用したピッキングシステムもあるが、無線電波を利用して行なう方法でバーコードと無線ICタグのIDとのデータベースを作成し、送信機側か受信機側のどちらかで、データの整合性をとる必要があり、大掛かりなシステムになる。
【０００４】
無線ICタグは隣接物体からの影響で送受信できない問題が出ている。金属や水分の影響が大きく、送受信できない状態である。但し、隣接物体から影響が出ないICタグも研究されているが高価なICタグになっている。
【特許文献１】特開平１１−２９８５８７
【特許文献２】特開２０００−８２１２１
【特許文献３】特開２００７−２９９３５７
【発明の開示】
【発明が解決しようとする課題】
【０００５】
従来、無線電波方式ICタグを利用して、離れた箇所に設置した無線電波式ICタグを受信装置にし、送信機側からターゲットの無線電波式ICタグの認識を可能にしていた。
ターゲットのバーコードを超音波信号で認識できるように、データ変換し認識タグのICに書き込んで置き、ターゲットのバーコードと同じ超音波信号を認識させる技術。
【課題を解決するための手段】
【０００６】
バーコードを読み込んだ光学信号を音声信号に変換する技術は、音声信号の波に変化を与え数字や英字が認識し判断できる音声信号に置き換える仕組みである。
超音声信号の波の変化は、超音声信号の波の高さを変化させ数字０〜９に割り当てる。また、超音声信号の波の長さを変化する時は英字A〜Zに割り当てる。
【発明の効果】
【０００７】
超音波信号を使用するので、人体に影響があるといわれている無線装置の電磁波は発生しないので人体にとても安全なシステムで無線の送信、受信を実現する。また、専用の送信端末を使用せず、超音波信号を発生できる携帯電話等を代替送信装置にすることが可能である。
【発明を実施するための最良の形態】
【０００８】
＜書込み装置＞
認識タグ書込みソフトや書込みケーブルを備えたPCにバーコードスキャナを接続して、ターゲットのバーコードを読込み認識タグにバーコードと同じデータを書込む。
＜超音波信号送信装置＞
バーコードスキャナ内蔵専用送信装置でターゲットバーコードを読込み、超音波信号を発生する。
また、携帯電話の音再生アプリを利用して携帯電話のスピーカから超音波信号を送信する。
＜超音波信号受信装置(認識タグ)＞
認識タグは、専用送信装置や携帯電話のスピーカから送信される超音波信号が届く範囲に設置して同じバーコードの製品に取り付け、同じ超音波信号を認識したら認識タグの制御信号をトリガーして「ブザーを鳴らす」、「LEDを点灯する」、「電子ロックを解除する」等のアクションをすることができる。
【実施例】
【０００９】
本発明の認識タグ（１）に図４に示すようにターゲットのバーコード超音波認識データを書き込んで、超音波発生装置でターゲットバーコードを読み込んだ時にバーコード超音波認識信号を送信すると、認識タグで「ブザーを鳴らす」、「LEDを点灯する」を行ないます。
これを利用して、工場や物流等でピッキングシステムでの応用が可能。
ピッキングする指示書にバーコード印刷されているバーコードをバーコードスキャナ付き専用端末（１５）で読込むと、ターゲットになる製品や部品の棚の認識タグ（１）が音や光で知らせるのでピッキングが簡単に行なえるものである。
【００１０】
図５は、携帯電話端末（１４）に超音波認識信号を送信することができる音再生アプリを利用して認識タグ（１）が認識して音や光で知らせてくれるので、どこに置いたか忘れしまう「鍵」とか「小さな小物」に付けておけば探し物発見器として使うことができる。
【００１１】
図６はセキュリティを重視した電子ロックシステムで、小さなものでカバンやケース（１６）になり大きいものはトラックの荷台等になり認識タグ（１）を組込み電子ロック制御に携帯電話端末（１４）から超音波認識信号を送信すると認識タグ（１）は制御回路から開錠信号を送り電子ロック開錠を行なう。
【産業上の利用可能性】
【００１２】
人体に安全な無線送信受信装置になり、データベースが必要無いのでネットワークやPCレスでピッキングシステムが完結できる。
探し物発見器として使用することが可能であり、家の中の紛失しがちな「鍵」や「リモコン」などに、予め認識タグを取り付けておく事により、携帯電話の操作とスピーカで認識タグが反応してアラームを鳴らして場所を知らせてくれる。
【００１３】
セキュリティを強化した鍵のシステムで使用が可能。
認識タグを組み込んだ装置を使用して、電子錠とセットにしたセキュリティ強化した装置。
例えば、機密書類を運ぶトランクケースやトラック輸送車両荷台の鍵を認識タグの鍵システムで限られた場所と限られた人の携帯電話の組み合わせで鍵を開けるシステム。
送り主は、認識タグに鍵の情報を書き込み、受取主の携帯電話に鍵の情報をメールで知らせる。
受取主は送り主からの鍵情報を携帯電話メールで受取り、送り主からのトランクケースやトラック輸送車両荷台の鍵を携帯電話の操作で開けることができる。
【図面の簡単な説明】
【００１４】
【図１】（１）は超音波受信装置の構造でサイズを小さくすることで「認識タグ」にする。（２）は超音波を受信するマイクである。（３）は（２）で受信した超音波信号を（４）の信号と同じかの判断を行ない同じであれば（５）に支持を出す。（４）は事前に（３）で認識するデータを書き込んで置く。（５）は（３）からの支持を受けて音を出す。電源はボタン電池１個で動作可能で常に超音波認識信号の受信状態ですが１年以上は動作可能である。サイズは５００円硬貨より少し大きい程度である。
【図２】超音波の波形を利用してバーコードデータを音声信号に変換する方法を示した説明図である。
【図３】超音波の波形を電気信号レベルに変化させた方法を示した説明図である。
【図４】コンピュータ端末機から超音波受信装置にデータを書込みをする実地方法を示した説明図である。
【図５】送信端末から超音波受信端末機を呼び出す実地方法を示した説明図である。
【図６】超音波受信端末機をトリガーにした実地方法を示した説明図である。
【符号の説明】
【００１５】
（１）  超音波受信装置
（２）  マイク
（３）  制御回路
（４）  メモリ
（５）  スピーカ
（６）  プラス波レベル
（６’）マイナス波レベル
（７）  左振幅
（７’）右振幅
（８）  一波長  
（８’）半波長
（９）  電気信号レベル
（１０）  時間
（１１）  連続音声信号
（１２）  バーコードスキャナ端末
（１３）  コンピュータ端末
（１４）  携帯電話端末
（１５）  送信端末
（１６）  セキュリティボックス
【図１】
2010061206.tif 000003
【図２】
2010061206.tif 000004
【図３】
2010061206.tif 000005
【図４】
2010061206.tif 000006
【図５】
2010061206.tif 000007
【図６】
2010061206.tif 000008